(57)【特許請求の範囲】
【請求項１】
液透過性層と、液不透過性層と、それらの間の、一方の側縁、他方の側縁、長手軸線、前端及び後端を有する吸収層とを備え、前胴周り領域と、後胴周り領域と、前記前胴周り領域及び後胴周り領域の間の、前股部領域及び後股部領域とに区画される使い捨ておむつであって、
前記使い捨ておむつが、前記吸収層の前記後股部領域、前記前股部領域及び前記前胴周り領域に、前記長手軸線及び一方の側縁の間に配置され且つ前記長手軸線の方向に延びる第１折曲誘導線と、前記長手軸線及び他方の側縁の間に配置され且つ前記長手軸線の方向に延びる第２折曲誘導線とを有し、
第１折曲誘導線及び第２折曲誘導線のそれぞれが、少なくとも前記吸収層の圧縮部、溝部又はスリット部であり、そして
前記使い捨ておむつが、前記前股部領域及び前記前胴周り領域において、第１折曲誘導線及び第２折曲誘導線の間の中央領域内に、前記吸収層を圧縮することにより形成された圧縮部を有する、
こと、及び
第１折曲誘導線及び第２折曲誘導線のそれぞれが、前記一方の側縁及び他方の側縁から前記長手軸線に向かって突出する湾曲形状を有していて、前記前股部領域において、前記前端側の第１基点と、前記後端側の第２基点とを有し、第１折曲誘導線及び第２折曲誘導線のそれぞれが、前記前端から前記後端に向かう方向において、第１基点に近づくにつれて前記長手軸線に近づき、そして第１基点から遠ざかるにつれて前記長手軸線との距離を変化させないか又は前記長手軸線から遠ざかり、第１折曲誘導線及び第２折曲誘導線のそれぞれが、前記前端から前記後端に向かう方向において、第２基点に近づくにつれて前記長手軸線に近づくか又は前記長手軸線との距離を変化させず、そして第２基点から遠ざかるにつれて前記長手軸線から遠ざかる、
ことを特徴とする前記使い捨ておむつ。
【請求項２】
前記中央領域の圧縮部が、前記吸収層をエンボスすることにより形成されたエンボス部を含む、請求項１に記載の使い捨ておむつ。
【請求項３】
前記エンボス部が、前記長手軸線の方向と平行な方向又は直交する方向ではない、１又は複数の方向に延びる、線状のエンボス部である、請求項２に記載の使い捨ておむつ。
【請求項４】
第１折曲誘導線及び第２折曲誘導線の第２基点が、それぞれ、第１折曲誘導線及び第２折曲誘導線の第１基点よりも短い、前記長手軸線との距離を有する、請求項１に記載の使い捨ておむつ。
【請求項５】
第１折曲誘導線及び第２折曲誘導線の第２基点が、それぞれ、前記一方の側縁及び他方の側縁との距離よりも短い、前記長手軸線との距離を有する、請求項１〜４のいずれか一項に記載の使い捨ておむつ。
【請求項６】
前記使い捨ておむつが、前記使い捨ておむつの幅方向に延びる、第３折曲誘導線及び第４折曲誘導線をさらに備え、第３折曲誘導線が、第１折曲誘導線及び第２折曲誘導線の第１基点を含み、第４折曲誘導線が、第１折曲誘導線及び第２折曲誘導線の第２基点を含む、請求項１〜５のいずれか一項に記載の使い捨ておむつ。
【請求項７】
第３折曲誘導線及び第４折曲誘導線の少なくとも一方が、前記一方の側縁及び他方の側縁の両方から前記長手軸線に向かって延びる一対の切欠部を含む、請求項６に記載の使い捨ておむつ。
【請求項８】
前記使い捨ておむつが、第１折曲誘導線の第１基点及び第２基点、並びに第２折曲誘導線の第１基点及び第２基点により区画される鼠径部当接領域を有し、前記使い捨ておむつが、着用状態において、前記鼠径部当接領域と、当該鼠径部当接領域に隣接する鼠径部周囲領域とにより形成された、前記鼠径部当接領域を上底とする略四角錐台の形状部分を含む、請求項１〜７のいずれか一項に記載の使い捨ておむつ。
【請求項９】
第１折曲誘導線及び第２折曲誘導線の、それぞれ、前記一方の側縁及び他方の側縁の、前記前端側の始点が、前記前胴周り領域に存在する、請求項１〜８のいずれか一項に記載の使い捨ておむつ。
【請求項１０】
第１折曲誘導線及び第２折曲誘導線の、それぞれ、前記一方の側縁及び他方の側縁の、前記後端側の終点が、前記後股部領域に存在する、請求項１又は９に記載の使い捨ておむつ。
【請求項１１】
前記使い捨ておむつが、前記一方の側縁近傍及び他方の側縁近傍に、それぞれ、前記長手軸線の方向に沿って配置された、第１弾性部材及び第２弾性部材を備える、請求項１〜１０のいずれか一項に記載の使い捨ておむつ。
【発明の詳細な説明】
【技術分野】
【０００１】
本開示は、使い捨ておむつに関する。
【背景技術】
【０００２】
使い捨ておむつでは、排泄物の漏れを防ぎつつ、良好な履き心地を実現するため、様々な工夫がなされている。
例えば、特許文献１の図５には、砂時計型の中央吸収体３４Ａと、中央吸収体３４Ａの両側方に対称的に設けられた一対のサイド吸収体３４Ｂ，３４Ｂとを具備する吸収性コア３４が記載されている。吸収性コア３４において、中央吸収体３４Ａと一対のサイド吸収体３４Ｂ，３４Ｂとの間には、それぞれ、刳り貫かれた形状の切離部３４Ｃ，３４Ｃが形成されている。
【０００３】
特許文献１によると、吸収性コア３４が切離部３４Ｃを有していると、吸収性コア３４の両側縁部が起立し易くなること、吸収性コア３４が幅方向に押圧されると、吸収性コア３４全体の幅が狭くなるため、外包材２の幅方向の収縮が阻害され難いこと等が記載されている。
【先行技術文献】
【特許文献】
【０００４】
【特許文献１】特開２００８−１３１９６８号公報
【発明の概要】
【発明が解決しようとする課題】
【０００５】
しかし、特許文献１に記載の使い捨ておむつは、その幅方向に折れ曲がるため、着用者の体の左右のラインに沿うが、特許文献１に記載の使い捨ておむつは、着用者の体の前後のラインに沿う設計がなされていない。
従って、本開示は、着用状態において、着用者の体の立体形状に沿う使い捨ておむつを提供することを目的とする。
【課題を解決するための手段】
【０００６】
本開示者らは、液透過性層と、液不透過性層と、それらの間の、一方の側縁、他方の側縁、長手軸線、前端及び後端を有する吸収層とを備え、前胴周り領域と、後胴周り領域と、上記前胴周り領域及び後胴周り領域の間の、前股部領域及び後股部領域とに区画される使い捨ておむつであって、上記使い捨ておむつが、上記吸収層の上記前股部領域に、上記長手軸線及び一方の側縁の間に配置され且つ上記長手軸線の方向に延びる第１折曲誘導線と、上記長手軸線及び他方の側縁の間に配置され且つ上記長手軸線の方向に延びる第２折曲誘導線とを有し、第１折曲誘導線及び第２折曲誘導線のそれぞれが、少なくとも上記吸収層の圧縮部、溝部又はスリット部を含み、そして上記使い捨ておむつが、第１折曲誘導線及び第２折曲誘導線の間の中央領域内に、上記吸収層を圧縮することにより形成された圧縮部を有することを特徴とする上記使い捨ておむつを見出した。
【発明の効果】
【０００７】
本開示の使い捨ておむつは、着用状態において、着用者の体の立体形状に沿う。
【図面の簡単な説明】
【０００８】
【図１】図１は、本開示の実施形態の１つに従う使い捨ておむつ１の斜視図である。
【図２】図２は、図１に示される使い捨ておむつ１の平面図である。
【図３】図３は、図２に示される使い捨ておむつ１の吸収層４と、吸収層４を覆うコアラップ４ａと、第１弾性部材２１及び第２弾性部材２２との平面図である。
【図４】図４は、図２のＩＶ−ＩＶ端面における端面図である。
【図５】図５は、図３のＶ−Ｖ端面における端面図である。
【図６】図６は、折曲誘導線用エンボス部３０ａ及び３０ｂが形成される前の、吸収層４及びコアラップ４ａの、図３のＶ−Ｖ端面に相当する端面図である。
【図７】図７は、図１に示される使い捨ておむつ１の着用状態を示す図である。
【図８】図８は、本開示の別の実施形態に従う使い捨ておむつ１を説明するための図である。
【図９】図９は、テープ型使い捨ておむつの胴周り領域及び股部領域を説明するための図である。
【発明を実施するための形態】
【０００９】
［定義］
本明細書で用いられる用語について、その定義を説明する。
［前端及び後端］
本明細書において、吸収層に関する「前端」及び「後端」は、着用者を基準とし、それぞれ、吸収層の腹方向の端部及び吸収層の背方向の端部を意味する。
【００１０】
［前身頃及び後身頃］
本明細書において、「前身頃」及び「後身頃」は、使い捨ておむつを、使い捨ておむつの幅方向に延びる直線で、使い捨ておむつの長手方向に２等分した際の、それぞれ、前側のパーツ及び後側のパーツである。
【００１１】
［胴周り領域及び股部領域］
本明細書において、「胴周り領域」及び「股部領域」は、以下の意味を有する。
（１）パンツ型使い捨ておむつ
パンツ型使い捨ておむつにおいて、胴周り領域は、前身頃に存在する前胴周り領域と、後身頃に存在する後胴周り領域とから成る。
前胴周り領域は、前身頃のうち、前身頃及び後身頃を接合する一対の接合部に挟まれた領域を意味し、後胴周り領域は、後身頃のうち、上記一対の接合部に挟まれた領域を意味する。
【００１２】
また、パンツ型使い捨ておむつにおいて、股部領域は、前胴周り領域と、後胴周り領域との間の領域を意味し、前身頃に存在する前股部領域と、後身頃に存在する後股部領域とから成る。上記股部領域はまた、一対の脚回り開口部（図８の符号６４）に挟まれた領域に相当する。
【００１３】
（２）テープ型使い捨ておむつ
テープ型使い捨ておむつでは、図９に示されるように、あらかじめ定められた、テープファスナ用の固定領域２７ｂに、一対のテープファスナ２７の先端２７ａ同士が向かい合うように固定した状態で、胴周り領域及び股部領域を区画する。
【００１４】
具体的には、胴周り領域（ＦＷ＋ＲＷ）は、上述のように固定した状態で、使い捨ておむつ１のうち、前身頃Ｆの胴周り形成部材６１と、後身頃Ｒの胴周り形成部材６２とが重複する、一対の重複部分６３を基準に判断する。前胴周り領域ＦＷは、使い捨ておむつ１の前身頃Ｆのうち、一対の重複部分６３の間の領域を意味する。同様に、後胴周り領域ＲＷは、使い捨ておむつ１の後身頃Ｒのうち、一対の重複部分６３の間の領域を意味する。
【００１５】
股部領域（ＦＣ＋ＲＣ）は、前胴周り領域ＦＷと、後胴周り領域ＲＷとの間の領域を意味し、前身頃Ｆに存在する前股部領域ＦＣと、後身頃Ｒに存在する後股部領域ＲＣとから成る。
【００１６】
本開示の使い捨ておむつについて、必要に応じて図面を用いて、以下、詳細に説明する。
図１〜図５及び図７は、本開示の実施形態の１つ（以下、「第１実施形態」と称する場合がある）に従う使い捨ておむつ１を説明するための図である。詳細には、図１は、第１実施形態に従う使い捨ておむつ１を、第１折曲誘導線、第２折曲誘導線、第３折曲誘導線及び第４折曲誘導線で、着用状態における着用者側（液透過性層２側）に折曲げた状態の斜視図である。
【００１７】
図２は、図１に示される使い捨ておむつ１の平面図である。図３は、図２に示される使い捨ておむつ１の吸収層４と、吸収層４を覆うコアラップ４ａと、第１弾性部材２１及び第２弾性部材２２との平面図である。また、図４は、図２のＩＶ−ＩＶ端面における端面図であり、図５は、図３のＶ−Ｖ端面における端面図である。また、図７は、図１に示される使い捨ておむつ１の着用状態を示す図である。
なお、第１実施形態では、使い捨ておむつ１が、弾性部材２６ａを含む一対の立体ギャザー２５、弾性部材２６ｂ、テープファスナ２７等を有する。
【００１８】
第１実施形態では、使い捨ておむつ１が、トップシートとしての液透過性層２と、バックシートとしての液不透過性層３と、液透過性層２及び液不透過性層３の間の吸収層４とを備える。使い捨ておむつ１は、前身頃Ｆ及び後身頃Ｒとに区画され、そして前身頃Ｆは、前胴周り領域ＦＷ及び前股部領域ＦＣにさらに区画され、そして後身頃Ｒは、後胴周り領域ＲＷ及び後股部領域ＲＣにさらに区画される。吸収層４は、一方の側縁５ａ、他方の側縁５ｂ、長手軸線ＬＡ、前端ＦＥ及び後端ＲＥを有する。
【００１９】
第１実施形態では、使い捨ておむつ１が、吸収層４の前股部領域ＦＣに、長手軸線ＬＡ及び一方の側縁５ａの間に配置され且つ長手軸線ＬＡの方向に延びる第１折曲誘導線６と、長手軸線ＬＡ及び他方の側縁５ｂの間に配置され且つ長手軸線ＬＡの方向に延びる第２折曲誘導線７とを有する。
【００２０】
第１実施形態では、使い捨ておむつ１が、前股部領域ＦＣにおいて、第１折曲誘導線６及び第２折曲誘導線７の間の中央領域１５内に、圧縮部、具体的には、吸収層４を圧縮することにより形成された第１エンボス部１３及び第２エンボス部１４を有する。
【００２１】
第１エンボス部１３及び第２エンボス部１４のそれぞれは、長手軸ＬＡ線の方向と平行な方向又は直交する方向ではない方向に延びる、線状のエンボス部である。また、第１エンボス部１３及び第２エンボス部１４は、平行ではない。
本開示の使い捨ておむつが、上述の中央領域内に圧縮部を有することにより、中央領域における吸収層の剛性が高くなり、使い捨ておむつが、第１折曲誘導線及び第２折曲誘導線を基軸として、使い捨ておむつの幅方向且つ着用者側に折れ曲がりやすくなる。
【００２２】
本開示の使い捨ておむつは、上記中央領域内の圧縮部を、第１折曲誘導線及び第２折曲誘導線の間であれば、特に限定されずに有することができる。本開示の使い捨ておむつは、上記中央領域内の圧縮部を、少なくとも前股部領域内に有することが好ましく、そして前股部領域内及び前胴周り領域内に有することがより好ましい。第１折曲誘導線及び第２折曲誘導線を基軸として、使い捨ておむつを、その幅方向且つ着用者側に折れ曲がりやすくするためである。
【００２３】
また、本開示の使い捨ておむつは、上記圧縮部を、第１折曲誘導線の第２基点及び第２折曲誘導線の第２基点よりも、前端側の中央領域内に有することが好ましい。第１折曲誘導線及び第２折曲誘導線を基軸として、使い捨ておむつを、その幅方向且つ着用者側に折れ曲がりやすくするためである。
【００２４】
本開示の使い捨ておむつでは、上述の中央領域における吸収層の剛性が、吸収層の中央領域以外の領域の吸収層の剛性よりも高いことが好ましい。使い捨ておむつが、第１折曲誘導線及び第２折曲誘導線を基軸として、使い捨ておむつの幅方向且つ着用者側に折れ曲がりやすくなるからである。
中央領域以外の領域としては、吸収層の一方の側縁及び第１折曲誘導線の間の領域、吸収層の他方の側縁及び第２折曲誘導線の間の領域等が挙げられる。
【００２５】
本開示の使い捨ておむつでは、上述の中央領域に形成される圧縮部、例えば、エンボス部は、例えば、吸収層；吸収層及びコアラップ；吸収層、コアラップ及び液透過性層；吸収層、コアラップ、補助シート及び液透過性層等を圧縮、例えば、エンボスすることにより形成される。
なお、着用感の観点からは、中央領域に形成される圧縮部は、吸収層の長手軸線に対して線対称であることが好ましい。
【００２６】
第１実施形態では、第１折曲誘導線６が、前端ＦＥ側の第１基点１６ａと、後端ＲＥ側の第２基点１７ａとを有し、そして第２折曲誘導線７が、前端ＦＥ側の第１基点１６ｂと、後端ＲＥ側の第２基点１７ｂとを有する。
【００２７】
第１折曲誘導線６は、前端ＦＥから後端ＲＥに向かう方向Ｄにおいて、第１基点１６ａに近づくにつれて長手軸線ＬＡに近づき、そして第１基点１６ａから遠ざかるつれて長手軸線ＬＡとの距離を変化させない。また、第２折曲誘導線７が、前端ＦＥから後端ＲＥに向かう方向Ｄにおいて、第１基点１６ｂに近づくにつれて長手軸線ＬＡに近づき、そして第１基点１６ｂから遠ざかるつれて長手軸線ＬＡとの距離を変化させない。
そうすることにより、本開示の使い捨ておむつが、第１折曲誘導線の第１基点及び第２折曲誘導線の第１基点のところで、使い捨ておむつの長手方向且つ着用者側に折れ曲がりやすくなる（後述の第３折曲誘導線を有しやすくなる）。
【００２８】
第１折曲誘導線６は、前端ＦＥから後端ＲＥに向かう方向Ｄにおいて、第２基点１７ａに近づくにつれて長手軸線ＬＡに近づき、そして第２基点１７ａから遠ざかるにつれて長手軸線ＬＡから遠ざかる。同様に、第２折曲誘導線７は、前端ＦＥから後端ＲＥに向かう方向Ｄにおいて、第２基点１７ｂに近づくにつれて長手軸線ＬＡに近づき、そして第２基点１７ｂから遠ざかるにつれて長手軸線ＬＡから遠ざかる。
そうすることにより、本開示の使い捨ておむつが、第１折曲誘導線の第２基点及び第２折曲誘導線の第２基点のところで、使い捨ておむつの長手方向且つ着用者側に折れ曲がりやすくなる（後述の第４折曲誘導線を有しやすくなる）。
【００２９】
第１実施形態では、第１折曲誘導線６の第２基点１７ａ及び長手軸線ＬＡの間の距離Ｄ2は、第１折曲誘導線６の第１基点１６ａ及び長手軸線ＬＡの間の距離Ｄ1よりも短い。同様に、第２折曲誘導線７の第２基点１７ｂ及び長手軸線ＬＡの間の距離Ｄ2は、第２折曲誘導線７の第１基点１６ｂ及び長手軸線ＬＡの間の距離Ｄ1よりも短い。
そうすることにより、本開示の使い捨ておむつが、着用者の体、特に鼠径部の立体形状に沿いやすくなる。着用者の鼠径部は、腹側から背側に向かって、その幅が狭くなるためである。
【００３０】
第１折曲誘導線６の第２基点１７ａ及び長手軸線ＬＡの間の距離Ｄ2は、第２基点１７ａ及び一方の側縁５ａの間の距離Ｄ3よりも短い、すなわち、第２基点１７ａは、一方の側縁５ａよりも長手軸線に近い。同様に、第２折曲誘導線７の第２基点１７ｂ及び長手軸線ＬＡの間の距離Ｄ2は、第２基点１７ｂ及び他方の側縁５ｂの間の距離Ｄ3よりも短い、すなわち、第２基点１７ｂは、他方の側縁５ｂよりも長手軸線に近い。
そうすることにより、本開示の使い捨ておむつが、着用者の体、特に鼠径部の立体形状に沿いやすくなる。
【００３１】
第１実施形態では、使い捨ておむつ１が、使い捨ておむつ１の幅方向Ｗに延びる、第３折曲誘導線８及び第４折曲誘導線９をさらに備え、第３折曲誘導線８が、第１折曲誘導線６の第１基点１６ａと、第２折曲誘導線７の第１基点１６ｂとを含み、第４折曲誘導線９が、第１折曲誘導線６の第２基点１７ａと、第２折曲誘導線７の第２基点１７ｂとを含む。
【００３２】
本開示の使い捨ておむつにおいて、第３折曲誘導線が第１折曲誘導線の第１基点及び第２折曲誘導線の第１基点を含むことにより、本開示の使い捨ておむつが、第３折曲誘導線を基軸として、使い捨ておむつの長手方向且つ着用者側に折れ曲がりやすくなる。本開示の使い捨ておむつが、第１折曲誘導線及び第２折曲誘導線を基軸として折れ曲がった際に、使い捨ておむつの長手方向の両端の立ち上がりやすさは、第１折曲誘導線及び第２折曲誘導線の延びる方向、使い捨ておむつが有する弾性部材等によって変化するが、第３折曲誘導線が第１折曲誘導線の第１基点及び第２折曲誘導線の第１基点を含むことにより、使い捨ておむつが、第３折曲誘導線を基軸として、使い捨ておむつの長手方向且つ着用者側に、美観に優れた状態（皺等が少ない状態）で折れ曲がりやすくなる。
【００３３】
本開示の使い捨ておむつにおいて、第４折曲誘導線が第１折曲誘導線の第２基点及び第２折曲誘導線の第２基点を含むことにより、本開示の使い捨ておむつが、第４折曲誘導線を基軸として、使い捨ておむつの長手方向且つ着用者側に折れ曲がりやすくなる。その作用は、第３折曲誘導線と同様である。
【００３４】
本開示の使い捨ておむつが第３折曲誘導線及び第４折曲誘導線を含む実施形態では、第３折曲誘導線及び第４折曲誘導線のそれぞれは、吸収層（又は使い捨ておむつ）の長手軸線と直交することが好ましい。着用者の体は、基本的に左右対称であり、着用感の観点からである。
【００３５】
第１実施形態では、第３折曲誘導線８は、一方の側縁５ａ及び他方の側縁５ｂの両方から長手軸線ＬＡに向かって延びる一対の切欠部２３ａ及び２３ｂを含み、そして第４折曲誘導線９は、一方の側縁５ａ及び他方の側縁５ｂの両方から長手軸線ＬＡに向かって延びる一対の切欠部２４ａ及び２４ｂを含む。
【００３６】
本開示の使い捨ておむつにおいて、第３折曲誘導線及び／又は第４折曲誘導線が一対の切欠部を含むことにより、第３折曲誘導線及び／又は第４折曲誘導線の剛性が、折曲誘導線以外の領域、すなわち、切欠部を有しない領域の剛性よりも低くなり、使い捨ておむつが、第３折曲誘導線及び第４折曲誘導線を基軸として、使い捨ておむつの長手方向且つ着用者側に折れ曲がりやすくなる。また、本開示の使い捨ておむつが切欠部を有することにより、第３折曲誘導線が、第１基点を含む位置により形成されやすくなり、そして第４折曲誘導線が、第２基点を含む位置により形成されやすくなる。
【００３７】
第１実施形態では、使い捨ておむつ１が、第１折曲誘導線６の第１基点１６ａ及び第２基点１７ａと、第２折曲誘導線７の第１基点１６ｂ及び第２基点１７ｂとにより区画される鼠径部当接領域１０を有し、使い捨ておむつ１が、着用状態において、鼠径部当接領域１０と、鼠径部当接領域に隣接する鼠径部周囲領域１１とにより形成された、鼠径部当接領域１０を上底とする略四角錐台の形状部分１２を含む。
なお、第１実施形態では、鼠径部当接領域１０は、第１折曲誘導線６、第２折曲誘導線７、第３折曲誘導線８及び第４折曲誘導線９に囲まれる領域でもある。
【００３８】
着用者が使い捨ておむつ１を装着すると、主に前股部領域が着用者の両脚によって挟まれ、第１折曲誘導線６及び第２折曲誘導線７を基軸として、使い捨ておむつ１が、使い捨ておむつ１の幅方向且つ着用者側に折れ曲がる。次いで、第１折曲誘導線６及び第２折曲誘導線７が折れ曲がることにより、第３折曲誘導線８及び第４折曲誘導線９を基軸として、使い捨ておむつ１が、使い捨ておむつ１の長手方向且つ着用者側に折れ曲がる。その結果、使い捨ておむつ１が、略四角錐台の形状部分１２を含みやすくなる。
【００３９】
第１実施形態では、第１折曲誘導線６の第１基点１６ａ及び第２折曲誘導線７の第１基点１６ｂ（第３折曲誘導線８）と、第１折曲誘導線６の第２基点１７ａ及び第２折曲誘導線７の第２基点１７ｂ（第４折曲誘導線９）とが、前股部領域ＦＣ内に配置されており、鼠径部当接領域１０の全体が、前胴周り領域ＦＷ及び後股部領域ＲＣから離れ、前股部領域ＦＣの内部に存在している。
そのようにすることにより、本開示の使い捨ておむつは、着用状態において、鼠径部当接領域を上底とする略四角錐台の形状部分を含みやすくなり、着用者の体の立体形状に沿いやすくなる。
【００４０】
第１実施形態では、使い捨ておむつ１の展開状態において、吸収層４が略矩形を有する。
当技術分野では、着用者の動きやすさを重視して、吸収層を、展開状態において砂時計型の形状とすることが行われているが、砂時計型の吸収層は、液体を受け入れる面積が狭くなるため、漏れが生じやすくなる恐れがある。本開示の使い捨ておむつでは、吸収層が略矩形の形状を有する場合であっても、着用者の動きやすさを保持したまま、着用者の体、特に鼠径部の立体形状に沿うことができるため、漏れが生じにくい。
なお、本開示の使い捨ておむつでは、展開状態において、吸収層が砂時計形状を有していてもよい。
【００４１】
第１実施形態では、第１折曲誘導線６が、一方の側縁５ａから長手軸線ＬＡに向かって突出する湾曲形状を有し、そして第２折曲誘導線７が、他方の側縁５ｂから長手軸線ＬＡに向かって突出する湾曲形状を有する。
【００４２】
第１折曲誘導線及び第２折曲誘導線が上述の湾曲形状を有することにより、本開示の使い捨ておむつが、第１折曲誘導線及び第２折曲誘導線を基軸として、使い捨ておむつの長手方向且つ着用者側に、美観に優れた状態（皺等が少ない状態）で折れ曲がりやすくなる。
【００４３】
本開示の使い捨ておむつでは、第１折曲誘導線及び第２折曲誘導線が湾曲形状を有することにより、前股部領域が着用者の両脚によって挟まれると、使い捨ておむつが第１折曲誘導線及び第２折曲誘導線を基軸として、使い捨ておむつの幅方向且つ着用者側に折れ曲がる。次いで、使い捨ておむつが第１折曲誘導線及び第２折曲誘導線を基軸として折れ曲がると、使い捨ておむつの長手方向の両端が立ち上がり、ひいては使い捨ておむつが着用者の体の立体形状に沿いやすくなる。飛び出す絵本と同様の原理による。
なお、本明細書では、湾曲形状は、円弧状のものに限定されず、湾曲形状が、突状部、窪み部等を有してもよい。
【００４４】
第１実施形態では、第１折曲誘導線６の一方の側縁５ａの、前端ＦＥ側の始点６'が、前胴周り領域ＦＷに存在し、そして第２折曲誘導線７の他方の側縁５ｂの、前端ＦＥ側の始点７'が、前胴周り領域ＦＷに存在する。
【００４５】
本開示の使い捨ておむつでは、第１折曲誘導線と一方の側縁との２つの交点のうちの前端側の始点と、第２折曲誘導線と他方の側縁との２つの交点のうち前端側の始点とが前胴周り領域に存在することにより、使い捨ておむつが、着用者の鼠径部に沿った立体形状を有しやすくなる（後述の、鼠径部当接領域を有しやすくなる）。
本開示の別の実施形態に従う使い捨ておむつでは、第１折曲誘導線及び第２折曲誘導線の前端側の始点が、前股部領域に存在している。
【００４６】
また、第１折曲誘導線６の一方の側縁５ａの、後端ＲＥ側の終点６''が、後股部領域Ｒに存在し、そして第２折曲誘導線７の他方の側縁５ｂの、後端ＲＥ側の終点７''が、後股部領域ＲＣに存在する。
【００４７】
そうすることにより、本開示の使い捨ておむつが、着用者の鼠径部に沿った立体形状を有しやすくなる。具体的には、使い捨ておむつの後胴周り領域は、着用時に、着用者の胴回りに密着するように力が加えられるため、第１折曲誘導線の後端側の終点と、第２折曲誘導線の後端側の終点とが後胴周り領域に存在すると、着用者の鼠径部に沿った立体形状が潰れやすくなり、その形状を保持しにくくなる。一方、上記終点が後股部領域に存在すると、着用者の鼠径部に沿った立体形状は潰れにくく、使い捨ておむつの、着用者へのフィット性を高めることができる。
本開示の別の実施形態に従う使い捨ておむつでは、第１折曲誘導線及び第２折曲誘導線の後端側の終点が、後胴周り領域に存在している。
【００４８】
第１実施形態では、使い捨ておむつ１は、吸収層４の一方の側縁５ａ近傍（具体的には、一方の側縁５ａの内側）に、吸収層４の長手軸線ＬＡの方向に沿って配置された第１弾性部材２１を備え、そして吸収層４の他方の側縁５ｂ近傍（具体的には、他方の側縁５ｂの内側）に、吸収層４の長手方向Ｌに沿って配置された第２弾性部材２２を備える。
【００４９】
本開示の使い捨ておむつが、第１弾性部材及び第２弾性部材を有することにより、着用状態において、使い捨ておむつが、使い捨ておむつの長手方向且つ着用者側に折れ曲がりやすくなる。
なお、本明細書において、上記側縁近傍には、側縁との一致、並びに側縁の内側及び外側が含まれる。
【００５０】
第１実施形態では、第１弾性部材２１の前端ＦＥ側の端部２１'は、第１折曲誘導線６の第１基点１６ａ（及び第２折曲誘導線７の第１基点１６ｂ）よりも前端ＦＥ側に配置され、そして第２弾性部材２２の前端ＦＥ側の端部２２'は、第２折曲誘導線７の第１基点１６ｂ（及び第１折曲誘導線６の第１基点１６ａ）よりも前端ＦＥ側に配置されている。また、第１弾性部材２１の後端ＲＥ側の端部２１''は、第１折曲誘導線６の第２基点１７ａ（及び第２折曲誘導線７の第２基点１７ｂ）よりも後端ＲＥ側に配置され、そして第２弾性部材２２の後端ＲＥ側の端部２２''は、第２折曲誘導線７の第２基点１７ｂ（及び第１折曲誘導線６の第２基点１７ａ）よりも後端ＲＥ側に配置されている。
【００５１】
そうすることにより、使い捨ておむつが、第１折曲誘導線の第１基点及び第２折曲誘導線の第１基点（例えば、第３折曲誘導線）で、使い捨ておむつの長手方向及び着用者側に折り曲がりやすくなり、そして第１折曲誘導線の第２基点及び第２折曲誘導線の第２基点（例えば、第４折曲誘導線）で、使い捨ておむつの長手方向及び着用者側に折れ曲がりやすくなる。
第１弾性部材及び第２弾性部材を含む弾性部材は、当技術分野で公知のものが用いられ、例えば、約４７０〜９４０ｄｔｅｘのポリウレタン弾性繊維が挙げられる。
【００５２】
第１実施形態では、第１折曲誘導線６及び第２折曲誘導線７は、液透過性層２及び吸収層４を圧縮することにより形成された圧縮部である。具体的には、第１折曲誘導線６は、第１折曲誘導線６に沿って、液透過性層２及び吸収層４を間欠的にエンボスすることにより形成された、圧縮部としてのエンボス部３０ａを備える。同様に、第２折曲誘導線７は、第２折曲誘導線７に沿って、液透過性層２及び吸収層４を間欠的にエンボスすることにより形成された、圧縮部としてのエンボス部３０ｂを備える。
なお、第１実施形態では、第１折曲誘導線６及び第２折曲誘導線７は、液透過性層２及び吸収層４を間欠的にエンボスすることにより形成された、溝部でもある。
【００５３】
本開示の使い捨ておむつでは、第１折曲誘導線及び第２折曲誘導線が圧縮部及び／又は溝部を含むことにより、第１折曲誘導線及び第２折曲誘導線の厚さが薄くなり、使い捨ておむつが、第１折曲誘導線及び第２折曲誘導線を基軸として、使い捨ておむつの幅方向且つ着用者側に折れ曲がりやすくなる。
【００５４】
また、第１折曲誘導線６は、吸収層４に、第１折曲誘導線６に沿って延び且つ一定の幅を有する低坪量領域であって、吸収層４の平均坪量よりも低い坪量を有する低坪量領域２８ａを備える。同様に、第２折曲誘導線７は、吸収層４に、第２折曲誘導線７に沿って延び且つ一定の幅を有する低坪量領域であって、吸収層４の平均坪量よりも低い坪量を有する低坪量領域２８ｂを備える。
【００５５】
本開示の使い捨ておむつでは、第１折曲誘導線及び／又は第２折曲誘導線が低坪量領域を有することにより、使い捨ておむつが、第１折曲誘導線及び／又は第２折曲誘導線を基軸として、使い捨ておむつの幅方向且つ着用者側に折れ曲がりやすくなる。
【００５６】
本開示の使い捨ておむつが低坪量領域を有する実施形態では、当該低坪量領域は、吸収層の平均坪量の、好ましくは３０〜９０質量％、そしてより好ましくは４０〜８０質量％の坪量を有する。上記比率が３０％を下回ると、吸収した液体が、第１折曲誘導線及び第２折曲誘導線を超えて移動しにくくなる傾向があり、そして上記比率が９０％を上回ると、使い捨ておむつが第１折曲誘導線及び第２折曲誘導線を基軸として、使い捨ておむつの幅方向且つ着用者側に折れ曲がりにくくなる場合がある。
なお、上記吸収層の平均坪量は、３００〜７００ｇ／ｍ2であることが好ましい。
【００５７】
第１実施形態では、第１折曲誘導線６は、低坪量領域２８ａに、吸収層４の液透過性層２側の表面に形成された窪み部２９ａを備え、そして第２折曲誘導線７は、低坪量領域２８ｂに、吸収層４の液透過性層２側の表面に形成された窪み部２９ｂを備える。
そうすることにより、本開示の使い捨ておむつが、第１折曲誘導線及び第２折曲誘導線を基軸として、窪み部側、すなわち、着用者側に折れ曲がりやすくなる。
【００５８】
図６は、折曲誘導線用エンボス部３０ａ及び３０ｂが形成される前の、吸収層４及びコアラップ４ａの、図３のＶ−Ｖ端面に相当する端面図である。図６に示される吸収層４は、窪み部２９ａである低坪量領域２８ａを有し、低坪量領域２８ａは、折曲誘導線用エンボス部３０ａが形成される底部２８ａａと、その両側の傾斜部２８ａｂとを有する。また、図５に示される吸収層４は、窪み部２９ｂである低坪量領域２８ｂを有し、低坪量領域２８ｂは、折曲誘導線用エンボス部３０ｂが形成される底部２８ｂａと、その両側の傾斜部２８ｂｂとを有する。
【００５９】
低坪量領域２８ａ及び２８ｂでは、底部２８ａａ及び２８ｂａの坪量が最も少なく、そして傾斜部２８ａｂ及び２８ｂｂでは、底部２８ａａ及び２８ｂａから遠ざかるにつれ、坪量が順次高くなっている。
なお、第１エンボス部１３及び第２エンボス部１４が形成される場所の坪量は、第１エンボス部１３及び第２エンボス部１４の周辺の領域と同一である。
【００６０】
低坪量領域を形成することにより、使い捨ておむつが、第１折曲誘導線及び第２折曲誘導線を基軸として、使い捨ておむつの幅方向且つ着用者側に折れ曲がりやすくなる。
上記低坪量領域は、例えば、同一出願人の特開２０１０−２３３８３９号に記載の方法に従って形成することができる。
【００６１】
第１実施形態では、第１折曲誘導線６及び第２折曲誘導線７が、それぞれ、第１折曲誘導線６及び第２折曲誘導線７に沿って、液透過性層２と、コアラップ４ａと、吸収層４の低坪量領域２８ａ及び２８ｂの一部とを間欠的にエンボスすることにより形成されたエンボス部３０ａ及び３０ｂを有するが、本開示の使い捨ておむつでは、エンボスすべき層を連続的又は間欠的にエンボスすることにより形成されたエンボス部を有する。着用者が硬さを感じにくい観点からは、上記エンボス部は、エンボスすべき層を間欠的にエンボスすることにより形成されたものであることが好ましい。
【００６２】
上記エンボスすべき層としては、第１折曲誘導線及び第２折曲誘導線が折曲誘導線として機能するものであれば特に制限されず、吸収層；吸収層及びコアラップ；吸収層、コアラップ及び液透過性層；吸収層、コアラップ、補助シート及び液透過性層等が挙げられる。
さらに、上記吸収層の低坪量領域は、その一部がエンボスされることができ、そしてその全体がエンボスされてもよい。
【００６３】
第１折曲誘導線及び第２折曲誘導線が、少なくとも吸収層に、上述のエンボス部と、上述の低坪量領域とを備える実施形態では、吸収層がパルプ繊維及び高吸収性材料を含み、低坪量領域における高吸収性材料の質量比が、吸収層中の低坪量領域以外の領域における高吸収性材料の質量比よりも低いことが好ましい。そうすることにより、第１折曲誘導線及び第２折曲誘導線に、コアラップ等を破断させることなくエンボス部を形成することができ、そして第１折曲誘導線及び第２折曲誘導線が、折曲誘導線として機能しやすくなる。
上記高吸水性材料としては、例えば、デンプン系、セルロース系、合成ポリマー系の高吸水性材料が挙げられる。
【００６４】
高吸収性材料の質量比は、以下の通り測定される。
（１）吸収層の低坪量領域から、所定量の低坪量サンプルを切り出し、その面積ｓ0（ｃｍ2）及び質量ｍ0（ｇ）を測定する。
（２）低坪量サンプルを、４００メッシュのナイロン袋に入れ、生理食塩水（濃度：０．９質量％）１０００ｍＬの中に３０分浸漬し、１５０Ｇ（８５０ｒｐｍ）にて２分間脱水し、脱水後の低坪量サンプルをナイロン袋より取り出し、その質量ｍ1（ｇ）を測定する。
吸水率Ａlb（％）を、以下の式：
Ａlb（％）＝１００×（ｍ1−ｍ0）／ｓ1
により算出する。
【００６５】
（３）吸収層の低坪量領域以外の領域から、所定量のサンプルを切り出し、低坪量サンプルと同様にして、吸水率Ａnb（％）を算出する。
（４）吸水率Ａlb（％）＜吸水率Ａnb（％）であれば、低坪量領域における高吸収性材料の質量比が、吸収層中の低坪量領域以外の領域における高吸収性材料の質量比よりも低いと判断する。
なお、測定は、２０℃にて実施する。
【００６６】
本開示の使い捨ておむつは上記実施形態に限定されず、本開示の別の実施形態に従う使い捨ておむつでは、吸収層の繊維密度を低くすることにより、原則として吸収層の高さを一定にしながら、低坪量領域を形成することができる。本開示の別の実施形態に従う使い捨ておむつでは、第１折曲誘導線及び第２折曲誘導線が、それぞれ、吸収層に、第１折曲誘導線及び第２折曲誘導線に沿って延び且つ一定の幅を有する低坪量領域を有し、当該低坪量領域では、吸収層が、吸収層の平均繊維密度よりも低い繊維密度を有することにより、原則として吸収層の高さを一定にしながら、吸収層の平均坪量よりも低い坪量を有する。吸収層の繊維密度を低くすることによっても、第１折曲誘導線及び第２折曲誘導線が折曲誘導線となり得る。
【００６７】
図１〜図５に示される実施形態では、低坪量領域２８ａ及び２８ｂは、それぞれ、吸収層４の液透過性層２側の表面に形成された、溝状の窪み部２９ａ及び２９ｂを有するが、本開示の使い捨ておむつでは、窪み部は、溝状のものに限定されない。
図８は、本開示の別の実施形態に従う使い捨ておむつを説明するための図であり、図３のＶ−Ｖ端面における端面図に相当するが、折曲誘導線用エンボス部が形成される前の図である。
【００６８】
図８に示される吸収層４は、第１折曲誘導線６及び第２折曲誘導線７の間の吸収層４'と、第１折曲誘導線６より外側の吸収層４''と、第２折曲誘導線７より外側の吸収層４'''とを含み、第１折曲誘導線６及び第２折曲誘導線７が、それぞれ、第１折曲誘導線６及び第２折曲誘導線７に沿って延びる、吸収層４のスリット部３１ａ及び３１ｂを有する。スリット部３１ａは、吸収層４'及び吸収層４''により区画され、そしてスリット部３１ｂは、吸収層４'及び吸収層４'''により区画される。
そうすることにより、本開示の使い捨ておむつでは、第１折曲誘導線及び第２折曲誘導線を基軸として、使い捨ておむつの幅方向且つ着用者側に折れ曲がりやすくなる。
【００６９】
本開示の使い捨ておむつが、吸収層及びコアラップを含み、そして第１折曲誘導線及び／又は第２折曲誘導線がスリット部を含む実施形態では、当該スリット部において、吸収層の一方の面のコアラップと、吸収層の他方の面のコアラップとが接合されていること（コアラップ同士の接合）が好ましい。着用者が動いた場合であっても、スリット部に隣接する吸収層同士の間隔が一定に保たれ、第１折曲誘導線及び／又は第２折曲誘導線が機能し続けることができるからである。
【００７０】
コアラップ同士の接合には、ホットメルト接着剤、例えば、合成ゴム（ＳＩＳ，ＳＢＳ，ＳＥＰＳ，ＳＥＢＳ）系、ＥＶＡ系、ポリオレフィン系（ＰＥ、ＰＰ）等のホットメルト接着剤による接合、エンボスによるコアラップの熱融着等が挙げられる。
【００７１】
上記コアラップの接合は、湿潤時においても保持されることが好ましい。使い捨ておむつが尿等の液体を吸収した場合であっても、第１折曲誘導線及び／又は第２折曲誘導線が機能し続けることができるからである。
【００７２】
湿潤時のコアラップ同士の接合は、以下の通り評価することができる。
（１）吸液容量の測定
（ｉ）評価すべき使い捨ておむつから、サンプル（吸収層及びコアラップ）を取り出し、その質量：Ｍ0（ｇ）を測定する。なお、吸収層を取り出す際には、可能な限り弾性部材を取り除く。
（ｉｉ）サンプルを４００メッシュのナイロン袋に入れ、生理食塩水（濃度：０．９質量％）１０００ｍＬ中に３０分間浸した後、サンプルの肌面側が遠心分離機の外側を向くようにサンプルをセットして、１５０Ｇ（８５０ｒｐｍ）で２分間脱水する。
（ｉｉｉ）ナイロン袋から取り出したサンプルの質量：Ｍ1（ｇ）を測定する。
（ｉｖ）サンプルの吸液容量を、次の式：
吸液容量（ｇ）＝Ｍ1（ｇ）−Ｍ0（ｇ）
により算出する。
【００７３】
（２）吸液後のコアラップ同士の接合の確認
（ｉ）評価すべき使い捨ておむつから、サンプル（吸収層及びコアラップ）を取り出す。
（ｉｉ）サンプルより若干大きめのトレイに、上記吸液容量の７０％の量の生理食塩水（濃度：０．９質量％）を入れ、トレイの生理食塩水に、サンプルを、サンプルの肌面側を下にして浸漬する。
（ｉｉｉ）５分間放置後、サンプルを取り出し、スリット部において、コアラップ同士が接合しているか否か確認する。
なお、上記測定は、２０℃で実施する。
本開示の使い捨ておむつは、上記測定の後、スリット部において、コアラップ同士が接合していることが好ましい。
【００７４】
また、第１実施形態では、使い捨ておむつ１が、使い捨ておむつ１の長手方向Ｌの両側部に、一対の立体ギャザー２５を含む。一対の立体ギャザー２５のそれぞれは、使い捨ておむつ１の長手軸線に近い自由端２５ａと、自由端２５ａよりも、使い捨ておむつ１の長手軸線ＬＡから遠い固定端２５ｂとを有する。固定端２５ｂは、液透過性層２に固定されている。自由端２５ａは、弾性部材２６ａを含むことにより使い捨ておむつ１の長手方向Ｌに弾性を有し、そして自由端２５ａは、使い捨ておむつ１の長手方向Ｌの両端において、固定部３２を介して、トップシート２に固定されている。
【００７５】
第１実施形態では、使い捨ておむつ１の展開状態において、鼠径部当接領域１０が、一対の立体ギャザー２５と、使い捨ておむつ１の厚さ方向に重複していない。
そうすることにより、本開示の使い捨ておむつでは、鼠径部当接領域がその形状を保ちやすくなり、使い捨ておむつが、着用状態において、着用者の体の立体形状に沿いやすくなる。
【００７６】
また、本開示の使い捨ておむつでは、第１折曲誘導線及び第２折曲誘導線は、吸収層の長手軸線に対して線対称であることが好ましい。着用者の体は、基本的に左右対称であり、着用感の観点からである。
【００７７】
本開示の使い捨ておむつでは、第１折曲誘導線及び第２折曲誘導線のそれぞれは、吸収層の長手軸線と交差しないことが好ましい。第１折曲誘導線の第１基点及び第２基点、並びに第２折曲誘導線の第１基点及び第２基点により形成される鼠径部当接領域（本開示の使い捨ておむつが、第３折曲誘導線及び第４折曲誘導線を含む実施形態では、第１折曲誘導線、第２折曲誘導線、第３折曲誘導線及び第４折曲誘導線により形成される鼠径部当接領域）を、吸収層の長手軸線上に形成するためである。
【００７８】
なお、本開示の使い捨ておむつでは、第１折曲誘導線及び第２折曲誘導線の一方又は両方が、第１基点及び第２基点の間に、追加の基点をさらに含んでもよい。使い捨ておむつが、第３折曲誘導線及び第４折曲誘導線の間に、使い捨ておむつをその長手方向且つ着用者側に折り曲げるための新たな折曲誘導線を有することになるため、使い捨ておむつが、着用状態において、着用者の体の立体形状に沿った形状をより有しやすい。
上記追加の基点としては、前端から後端に向かう方向において、追加の基点に近づくにつれて長手軸線との距離を変化させないか又は上記長手軸線から遠ざかり、そして追加の基点から遠ざかるにつれて上記長手軸線に近づくものが挙げられる。
【００７９】
本開示の使い捨ておむつは、第１実施形態に示されるように、着用状態において、第１折曲誘導線の第１基点及び第２基点と、第２折曲誘導線の第１基点及び第２基点とにより区画される略矩形状の鼠径部当接領域（第１折曲誘導線、第２折曲誘導線、第３折曲誘導線及び第４折曲誘導線に囲まれる略矩形状の鼠径部当接領域）と、当該鼠径部当接領域に隣接する鼠径部周囲領域とにより、鼠径部当接領域を上底とする略四角錐台の形状部分を含むことが好ましい。着用状態において、着用者の体の立体形状、具体的には、鼠径部の形状に沿うことができるからである。また、使い捨ておむつが鼠径部の形状に沿うことにより、排尿をより広い面積で受け入れることができ、排尿の漏れが少なくなる。
【００８０】
本開示の使い捨ておむつは、当技術分野で公知の方法を組み合わせて製造することができる。例えば、第１実施形態の吸収層は、同一出願人の特開２０１０−２３３８３９号に記載の方法に従って製造することができる。
【符号の説明】
【００８１】
１    使い捨ておむつ
２    液透過性層
３    液不透過性層
４    吸収層
４ａ    コアラップ
５ａ    一方の側縁
５ｂ    他方の側縁
６    第１折曲誘導線
７    第２折曲誘導線
８    第３折曲誘導線
９    第４折曲誘導線
１０    鼠径部当接領域
１１    鼠径部周囲領域
１２    略四角錐台の形状部分
１３    第１エンボス部
１４    第２エンボス部
１５    中央領域
１６    第１基点
１７    第２基点
２１    第１弾性部材
２２    第２弾性部材
２３，２４    切欠部
２５    立体ギャザー
２６    弾性部材
２７    テープファスナ
２８    低坪量領域
２９    窪み部
３０    折曲誘導線用エンボス部
３１    スリット部
Ｆ    前身頃
Ｒ    後身頃
ＦＷ    前胴周り領域
ＦＣ    前股部領域
ＲＷ    後胴周り領域
ＲＣ    後股部領域
ＬＡ    長手軸線
【図１】
0006271413.tif 000002
【図２】
0006271413.tif 000003
【図３】
0006271413.tif 000004
【図４】
0006271413.tif 000005
【図５】
0006271413.tif 000006
【図６】
0006271413.tif 000007
【図７】
0006271413.tif 000008
【図８】
0006271413.tif 000009
【図９】
0006271413.tif 000010